(57)【特許請求の範囲】
【請求項１】
シャッターにより開閉可能な４つの露光開口と、４駒、２駒および１駒の撮影枚数に切換操作可能な切換部材とを有する４眼カメラにおいて、
強制駆動ピンを有して９０゜ずつ回転動作される駆動部材と、
前記４つの露光開口のうち隣接する２つの露光開口を同時に開放可能とする第１の開口と、１つの露光開口をそれぞれ開放可能とする第２および第３の開口と、前記強制駆動ピンが係合する強制駆動用長孔とを有する１枚の遮光部材と、
この遮光部材と前記駆動部材との間に介設され、駆動部材の回転に追従して遮光部材を回転可能とするバネと、
前記切換部材の切換操作に応じ前記遮光部材を前記バネの付勢力に抗して４駒撮影位置、２駒撮影位置および１駒撮影位置でそれぞれ係止し、前記駆動部材の回転動作により前記強制駆動ピンが前記強制駆動用長孔の端部を押すことで前記遮光部材との係止を解除して前記バネの付勢力による前記遮蔽部材の前記駆動部材に追従する回転を許容する規制部材と、を備え、
２駒撮影の場合に、遮光部材は１つの露光開口が第１の開口の一端側に、対角線方向の１つの露光開口が第２または第３の開口の何れか一方においてそれぞれ開放状態となるように位置し、１駒撮影の場合に、遮光部材は１つの露光開口のみが第１の開口の中央において開放状態となるように位置することで、４駒、２駒、１駒撮影切換を行うことを特徴とする４眼カメラにおける撮影枚数切換装置。
【発明の詳細な説明】
【０００１】
【産業上の利用分野】
本発明は、証明書用写真の撮影などに使われる４駒同時撮影可能な４眼カメラにおける撮影枚数切換装置に関するものである。
【０００２】
【従来の技術】
４駒同時撮影可能な４眼カメラが従来から証明書用写真の撮影などに使われている。このような４眼カメラでは、４駒同時撮影の他、１駒撮影や２駒撮影の部分撮影をするための撮影枚数切換装置が設けられている。
【０００３】
従来は、４カ所の露光開口を遮蔽／開放するために、例えば、特開昭６２−９３３０号公報に開示されるように、２個の露光開口を遮蔽可能な第１のセクタと残る２個の露光開口のうちの何れか一方を遮蔽可能な第２のセクタを用いて、撮影枚数の切り換えを行っていた。また、特開平３−１５０５４５号公報に開示されるように、４個の露光開口に対応する透孔に加えて１駒撮影用透孔を有する１駒用プレートとその透孔を含むよう対称的な一対の円弧状長孔を有する２駒用プレートを用いて、撮影枚数の切り換えを行うようにしたものもある。
【０００４】
【発明が解決しようとする課題】
このように従来の撮影枚数切換装置では、複数のセクタあるいはプレートを用いるため、構成が複雑なものとなり、各々のセクタあるいはプレートの動作制御も難しいものとなっていた。また、部品点数が多いことから、組立工数が増え、コストが高くなるという問題点も有していた。
【０００５】
そこで、本発明の目的は、以上のような４眼カメラにおいて、部品点数を少なくし、構成を簡単にして、動作の精度をよくし、コスト的にも安価になるようにした撮影枚数切換装置を提供することにある。
【０００６】
【課題を解決するための手段】
以上の課題を解決すべく本発明は、シャッターにより開閉可能な４つの露光開口を有して、切換部材の操作により４駒、２駒および１駒の撮影枚数に切換可能とした４眼カメラにおいて、その撮影枚数切換装置を、９０゜ずつ回転動作される駆動部材に強制駆動ピンを設け、この強制駆動ピンが強制駆動用長孔を介して係合する１枚の遮光部材に、前記４つの露光開口のうち隣接する２つの露光開口を同時に開放可能とする第１の開口と、１つの露光開口をそれぞれ開放可能とする第２および第３の開口を設けて、この遮光部材を前記駆動部材の回転にバネを介して追従回転させるようにするとともに、前記切換部材の切換操作に応じて規制部材により、前記遮光部材を前記バネの付勢力に抗して４駒撮影位置、２駒撮影位置および１駒撮影位置でそれぞれ係止し、かつ前記駆動部材の回転動作により前記強制駆動ピンが前記強制駆動用長孔の端部を押すことで前記遮光部材との係止を解除して前記バネの付勢力による前記遮蔽部材の前記駆動部材に追従する回転を許容し、２駒撮影の場合に、遮光部材は１つの露光開口が第１の開口の一端側に、対角線方向の１つの露光開口が第２または第３の開口の何れか一方においてそれぞれ開放状態となるように位置し、１駒撮影の場合に、遮光部材は１つの露光開口のみが第１の開口の中央において開放状態となるように位置することで、４駒、２駒、１駒撮影切換を行わせるようにした構成としている。
【０００７】
【作用】
切換部材の切換操作により、規制部材が遮光部材をバネの付勢力に抗して４駒撮影位置、２駒撮影位置または１駒撮影位置にそれぞれ係止する。撮影後、駆動部材が９０゜回転し、強制駆動ピンが強制駆動用長孔の端部を押して、規制部材による遮光部材の係止を解除する。すると、バネの付勢力によって遮光部材が駆動部材に追従して回転し、再び規制部材により遮光部材が係止されて次の撮影の状態となる。
【０００８】
遮光部材には、４駒撮影位置の場合、４つの露光開口のうち隣接する２つの露光開口が第１の開口の両端に同時に位置して開放状態となり、他の２つの露光開口が第２および第３の開口にそれぞれ位置して開放となる。これにより４駒の同時撮影が行える。なお、強制駆動ピンが強制駆動用長孔内を移動するだけで、遮光部材が規制部材により係止状態に保たれたままの場合もある。
【０００９】
２駒撮影位置の場合、１つの露光開口が第１の開口の一端側に位置して開放状態となって、対角線方向の１つの露光開口が第２または第３の開口の何れか一方に位置して開放状態となり、残る２つの露光開口が遮光部材により遮蔽状態となる。これにより対角線方向の２駒の同時撮影が行え、このような２駒撮影は、駆動部材が９０゜回転する毎に繰り返され、即ち、次に残る２駒の同時撮影が行える。
【００１０】
１駒撮影位置の場合、１つの露光開口のみが第１の開口の中央に位置して開放状態となり、他の３つの露光開口が遮光部材により遮蔽状態となる。これにより１駒のみの撮影が行え、以下、駆動部材が９０゜回転する毎に同様に１駒の撮影が繰り返される。
【００１１】
【実施例】
以下に、本発明に係る４眼カメラにおける撮影枚数切換装置の実施例を図１乃至図５に基づいて説明する。
【００１２】
先ず、図１は本発明に係る４眼カメラにおける撮影枚数切換装置を構成する遮光部材１を示すもので、この遮光部材１は、軸孔２、第１の開口３、第２の開口４、第３の開口５、４駒撮影用立曲部６，６、２駒撮影用突起部７，７，７，７、１駒撮影用立曲部８，８，８，８、強制駆動用長孔９およびピン１０を有する１枚の円板状のものである。
【００１３】
なお、この遮光部材１を回転動作する駆動部材１４の駆動機構等、撮影駒数の切り換えに関する構成以外は、特開昭６２−９３３０号公報もしくは特開昭６３−２３４２３０号公報（シャッターについて）と同じ構成を使用するものとする。また、図２では、位置関係を明確にするために、４駒撮影用立曲部６、２駒撮影用突起部７、１駒撮影用立曲部８を同一位置に集めて示してある。
【００１４】
図１に示すように、遮光部材１は、中心に軸孔２を有する円板の同心円上に、円弧状をなす第１の開口３と、この第１の開口３の両端部と直径方向に対応する第２の開口４および第３の開口５を形成してなる。図３乃至図５に示すように、第１の開口３は、図示せぬカメラ本体内の上下左右４つの露光開口１９，１９，１９，１９のうち隣接する２つの露光開口１９，１９を両端部で同時に開放可能とするもので、第２の開口４および第３の開口５は、１つの露光開口１９をそれぞれ一端側に隙間を有して開放可能とするものである。
【００１５】
ここで、図５に示すように、左右の露光開口１９，１９は、互いに中心角７５．２゜をなす位置（図示せぬ中心軸を通る垂直線に対してそれぞれ中心角３７．６゜の位置）にあり、上下の露光開口１９，１９は、互いに中心角１０４．８゜をなす位置にある。
【００１６】
そして、遮光部材１の周囲には、円板に対して一面側への立ち下げによる２カ所の４駒撮影用立曲部６，６と、円板と同一面による４カ所の２駒撮影用突起部７，７，７，７と、円板に対して他面側への立ち上げによる４カ所の１駒撮影用立曲部８，８，８，８とがそれぞれ互いの対角線上に形成されている。即ち、図３に示すように、４駒撮影用立曲部６，６は互いに１８０゜をなす位置にある。また、図４に示すように、２駒撮影用突起部７，７，７，７は、４駒撮影用立曲部６，６に対して中心角７０．４４゜の位置にそれぞれある。さらに、図５に示すように、１駒撮影用立曲部８，８，８，８は、４駒撮影用立曲部６，６に対して中心角３７．６゜の位置にそれぞれある。
【００１７】
以上の４駒撮影用立曲部６、２駒撮影用突起部７、１駒撮影用立曲部８は、図２に示すように、設定ピンに相当する部材（以下、設定部材と呼ぶ）１１に設けた規制部材である規制ピン１３とそれぞれ当接可能となっている。即ち、設定部材１１は、図示せぬ切換部材との段部係合により前進後退動作するもので、回転軸線１１ａからオフセットした位置に凹部１２を形成して、その先端に規制ピン１３を一体に有している。
【００１８】
この規制ピン１３に対して、４駒撮影用立曲部６、２駒撮影用突起部７、１駒撮影用立曲部８の何れか一つが係止し、また、凹部１２には、図２（ａ）のように、最大で４駒撮影用立曲部６および２駒撮影用突起部７の２つが通るようになっている。そして、この規制ピン１３を、図３乃至図５に示すように垂直方向に沿った位置に付勢する図示せぬバネを設けている。
【００１９】
さらに、遮光部材１には、図１において、第２の開口４より軸孔２側に位置して軸孔２を中心とする円弧状の強制駆動用長孔９が形成されている。この強制駆動用長孔９には、図３乃至図５に示すように、駆動部材１４に設けた強制駆動ピン１６が係合している。
【００２０】
即ち、駆動部材１４は、前記軸孔２を通る中心軸の廻りを回転するもので、その一面に４本の連結ピン１５，１５，１５，１５を９０゜ずつの等間隔をもって備え、他面に強制駆動ピン１６を備えている。この駆動部材１４は、図示せぬモータにより駆動されるリンク機構および送り爪等の駆動機構によって１つの連結ピン１５を介して９０゜ずつ回転動作する。
【００２１】
また、遮光部材１には、図１において、軸孔２の右側にピン１０が設けられている。このピン１０には、図３乃至図５に示すように、バネ１８の一端が掛けられていて、このバネ１８の他端は、駆動部材１４に設けたピン１７に掛けられている。このバネ１８は引張コイルバネで構成され、遮光部材１が駆動部材１４の回転に追従してバネ１８を介して回転するようになっている。即ち、遮光部材１は、図３乃至図５において、矢印で示す反時計廻りに付勢されている。
【００２２】
以上の構成による撮影枚数切換装置を備えた４眼カメラによれば、例えば、切換つまみを操作して切換部材を回動すると、設定部材１１が前後動して、図２に示すように、規制ピン１３と当接する立曲部６，８もしくは突起部７を切り換える。図２（ａ）は規制ピン１３に１駒撮影用立曲部８が当接した１駒撮影状態を示し、図２（ｂ）は規制ピン１３に２駒撮影用突起部７が当接した２駒撮影状態を示し、図２（ｃ）は規制ピン１３に４駒撮影用立曲部６が当接した４駒撮影状態を示している。
【００２３】
次に、図３に示した４駒撮影の場合について説明する。
【００２４】
この４駒撮影のときには、上下の規制ピン１３，１３に４駒撮影用立曲部６，６がそれぞれ当接して、遮光部材１がその位置に係止され、例えば、図３（ａ）に示すように、上２つの露光開口１９，１９が第１の開口３の左右両端に位置して開放されるとともに、下２つの露光開口１９，１９が第２の開口４および第３の開口５にそれぞれ位置して開放される。
【００２５】
従って、４カ所の露光開口１９，１９，１９，１９が全て開放状態となり、この状態で図示せぬシャッターを切ることにより、４駒同時撮影が行われる。このとき、強制駆動ピン１６は強制駆動用長孔９の端部位置にあり、また、強制駆動ピン１６の次の移動予定位置を仮想線（図３乃至図５に共通）で示している。
【００２６】
撮影が終ると、例えば、モータ駆動により送り爪が１つの連結ピン１５を押し上げる等して、駆動部材１４を反時計廻りに９０゜回転させるため、強制駆動ピン１６が遮光部材１の強制駆動用長孔９の端部を押して、規制ピン１３，１３と４駒撮影用立曲部６，６の係止をそれぞれ解除する。即ち、規制ピン１３を立曲部６で押して図示せぬバネの付勢力に抗して軸線１１ａ廻りに回転させる。
【００２７】
すると、バネ１８の付勢力によって遮光部材１が反時計廻りに１８０゜回転し、図３（ｂ）に示すように、上下の規制ピン１３，１３に対して図３（ａ）とは互いに逆の４駒撮影用立曲部６，６が当接して、遮光部材１がその位置に係止される。従って、次のフィルムに対して、今度は、下２つの露光開口１９，１９が第１の開口３の左右両端に位置して開放されるとともに、上２つの露光開口１９，１９が第２の開口４および第３の開口５にそれぞれ位置して開放される。
【００２８】
そして、その４駒撮影後に前述と同様にして駆動部材１４が反時計廻りに９０゜回転したときには、図３（ｃ）に示すように、強制駆動ピン１６が強制駆動用長孔９の端部を押す直前の位置まで回転するだけなので、規制ピン１３，１３はそのままの状態に保たれる。従って、図３（ｂ）に示したと同様に、次のフィルムに対して、下２つの露光開口１９，１９が第１の開口３の左右両端に位置して開放され、上２つの露光開口１９，１９が第２の開口４および第３の開口５にそれぞれ位置して開放された状態に保たれる。
【００２９】
さらに、その４駒撮影後に前述と同様にして駆動部材１４が反時計廻りに９０゜回転すると、強制駆動ピン１６が強制駆動用長孔９の端部を押して、規制ピン１３，１３と４駒撮影用立曲部６，６の係止をそれぞれ解除し、バネ１８の付勢力によって遮光部材１が反時計廻りに１８０゜回転し、図３（ｄ）に示す状態となる。即ち、図３（ａ）に示したと同様に、上下の規制ピン１３，１３に対して図３（ｃ）に示したと逆の４駒撮影用立曲部６，６が当接して、遮光部材１がその位置に係止される。
【００３０】
こうして、次のフィルムに対して、再び上２つの露光開口１９，１９が第１の開口３の左右両端に位置して開放され、下２つの露光開口１９，１９が第２の開口４および第３の開口５にそれぞれ位置して開放された状態になる。
【００３１】
そして、その４駒撮影後に前述と同様にして駆動部材１４が反時計廻りに９０゜回転したときには、再び図３（ａ）に示すように、強制駆動ピン１６が強制駆動用長孔９の端部を押す直前の位置まで回転するだけなので、規制ピン１３，１３はそのままの状態に保たれる。従って、以下は前述したと同様の４駒同時撮影の動作を繰り返す。
【００３２】
次に、図４に示した２駒撮影の場合について説明する。
【００３３】
この２駒撮影のときには、上下の規制ピン１３，１３に２駒撮影用突起部７，７がそれぞれ当接して、遮光部材１がその位置に係止され、例えば、図４（ａ）に示すように、左上の露光開口１９が第１の開口３の上端側に位置して開放されるとともに、右下の露光開口１９が第２の開口４に位置して開放され、他の２カ所の露光開口は遮光部材１により遮蔽される。従って、対角線上に位置する２カ所の露光開口１９，１９だけが開放状態となり、この状態で図示せぬシャッターを切ることにより、２駒同時撮影が行われる。
【００３４】
その２駒撮影後に前述と同様にして駆動部材１４が反時計廻りに９０゜回転し、強制駆動ピン１６が強制駆動用長孔９の端部を押して、規制ピン１３，１３と２駒撮影用突起部７，７の係止をそれぞれ解除すると、バネ１８の付勢力によって遮光部材１が反時計廻りに３９．１１゜回転し、図４（ｂ）に示すように、上下の規制ピン１３，１３に対して次の２駒撮影用突起部７，７が当接して、遮光部材１がその位置に係止される。従って、今度は、前に遮蔽状態にあった未撮影の２カ所の露光開口、即ち、左下の露光開口１９が第１の開口３の下端側に位置して開放されるとともに、右上の露光開口１９が第３の開口５に位置して開放される。
【００３５】
そして、その２駒撮影後に前述と同様にして駆動部材１４が反時計廻りに９０゜回転し、強制駆動ピン１６が強制駆動用長孔９の端部を押して、規制ピン１３，１３と２駒撮影用突起部７，７の係止をそれぞれ解除すると、バネ１８の付勢力によって遮光部材１が反時計廻りに１４０．８９゜回転し、図４（ｃ）に示すように、上下の規制ピン１３，１３に対して次の２駒撮影用突起部７，７（図４（ａ）の場合と上下が逆）が当接して、遮光部材１がその位置に係止される。従って、次のフィルムに対して、今度は、右下の露光開口１９が第１の開口３の下端側に位置して開放されるとともに、左上の露光開口１９が第２の開口４に位置して開放される。
【００３６】
さらに、その２駒撮影後に前述と同様にして駆動部材１４が反時計廻りに９０゜回転し、強制駆動ピン１６が強制駆動用長孔９の端部を押して、規制ピン１３，１３と２駒撮影用突起部７，７の係止をそれぞれ解除すると、バネ１８の付勢力によって遮光部材１が反時計廻りに３９．１１゜回転し、図４（ｄ）に示すように、上下の規制ピン１３，１３に対して次の２駒撮影用突起部７，７（図４（ｂ）の場合と上下が逆）が当接して、遮光部材１がその位置に係止される。従って、今度は、前に遮蔽状態にあった未撮影の２カ所の露光開口、即ち、右上の露光開口１９が第１の開口３の上端側に位置して開放されるとともに、左下の露光開口１９が第３の開口５に位置して開放される。
【００３７】
また、その２駒撮影後に前述と同様にして駆動部材１４が反時計廻りに９０゜回転し、強制駆動ピン１６が強制駆動用長孔９の端部を押して、規制ピン１３，１３と２駒撮影用突起部７，７の係止をそれぞれ解除すると、バネ１８の付勢力によって遮光部材１が反時計廻りに１４０．８９゜回転し、再び図４（ａ）に示すように、上下の規制ピン１３，１３に対して次の２駒撮影用突起部７，７が当接して、遮光部材１がその位置に係止される。即ち、次のフィルムに対して、左上の露光開口１９が第１の開口３の上端側に位置して開放され、右下の露光開口１９が第２の開口４に位置して開放される。従って、以下は前述したと同様の２駒撮影毎の動作を繰り返す。
【００３８】
次に、図５に示した１駒撮影の場合について説明する。
【００３９】
この１駒撮影のときには、上下の規制ピン１３，１３に１駒撮影用立曲部８，８がそれぞれ当接して、遮光部材１がその位置に係止され、例えば、図５（ａ）に示すように、左上の露光開口１９のみが第１の開口３の中央部に位置して開放され、他の３カ所の露光開口は遮光部材１により遮蔽される。従って、１カ所の露光開口１９だけが開放状態となり、この状態で図示せぬシャッターを切ることにより、１駒撮影が行われる。
【００４０】
その１駒撮影後に前述と同様にして駆動部材１４が反時計廻りに９０゜回転し、強制駆動ピン１６が強制駆動用長孔９の端部を押して、規制ピン１３，１３と１駒撮影用立曲部８，８の係止をそれぞれ解除すると、バネ１８の付勢力によって遮光部材１が反時計廻りに１０４．８゜回転し、図５（ｂ）に示すように、上下の規制ピン１３，１３に対して次の１駒撮影用立曲部８，８が当接して、遮光部材１がその位置に係止される。従って、今度は、前に遮蔽状態にあった未撮影の３カ所の露光開口のうち左下の露光開口１９にみが第１の開口３の中央部に位置して開放され、既に撮影済みの１カ所を含め３カ所の露光開口は遮光部材１により遮蔽される。
【００４１】
そして、その１駒撮影後に前述と同様にして駆動部材１４が反時計廻りに９０゜回転し、強制駆動ピン１６が強制駆動用長孔９の端部を押して、規制ピン１３，１３と１駒撮影用立曲部８，８の係止をそれぞれ解除すると、バネ１８の付勢力によって遮光部材１が反時計廻りに７５．２゜回転し、図５（ｃ）に示すように、上下の規制ピン１３，１３に対して次の１駒撮影用立曲部８，８（図５（ａ）の場合と上下が逆）が当接して、遮光部材１がその位置に係止される。従って、今度は、前に遮蔽状態にあった未撮影の２カ所の露光開口のうち右下の露光開口１９のみが第１の開口３の中央部に位置して開放され、既に撮影済みの２カ所を含め３カ所の露光開口は遮光部材１により遮蔽される。
【００４２】
さらに、その１駒撮影後に前述と同様にして駆動部材１４が反時計廻りに９０゜回転し、強制駆動ピン１６が強制駆動用長孔９の端部を押して、規制ピン１３，１３と１駒撮影用立曲部８，８の係止をそれぞれ解除すると、バネ１８の付勢力によって遮光部材１が反時計廻りに１０４．８゜回転し、図５（ｄ）に示すように、上下の規制ピン１３，１３に対して次の１駒撮影用立曲部８，８（図５（ｂ）の場合と上下が逆）が当接して、遮光部材１がその位置に係止される。従って、今度は、前に遮蔽状態にあった未撮影の最後のものである右上の露光開口１９のみが第１の開口３の中央部に位置して開放され、既に撮影済みの３カ所の露光開口は遮光部材１により遮蔽される。
【００４３】
また、その１駒撮影後に前述と同様にして駆動部材１４が反時計廻りに９０゜回転し、強制駆動ピン１６が強制駆動用長孔９の端部を押して、規制ピン１３，１３と１駒撮影用立曲部８，８の係止をそれぞれ解除すると、バネ１８の付勢力によって遮光部材１が反時計廻りに７５．２゜回転し、再び図５（ａ）に示すように、上下の規制ピン１３，１３に対して次の１駒撮影用立曲部８，８が当接して、遮光部材１がその位置に係止される。即ち、次のフィルムに対して、左上の露光開口１９のみが第１の開口３の中央部に位置して開放され、他の３カ所の露光開口は遮光部材１により遮蔽される。従って、以下は前述したと同様の１駒撮影毎の動作を繰り返す。
【００４４】
なお、以上の実施例においては、撮影駒数の切り換えに関する構成以外は、特開昭６２−９３３０号公報もしくは特開昭６３−２３４２３０号公報（シャッターについて）と同じ構成としたが、本発明はこれに限定されるものではなく、他の構成によるものであってもよい。また、規制ピン（部材）はどちらか一方を設けるだけでもかまわない。さらに、適用するカメラ本体の構成等も任意であり、その他、開口や立曲部および突起部の中心角を含め具体的な細部構造等についても適宜に変更可能であることは勿論である。
【００４５】
【発明の効果】
以上のように、本発明に係る４眼カメラにおける撮影枚数切換装置によれば、１枚の遮光部材だけでよく、この１枚の遮光部材の係止される位置を変えるだけで、撮影する駒数の切り換えが可能である。従って、従来に比べて、構成が簡単であり、しかも、特定位置で遮光部材が係止されるため、精度もよくなる。また、部品点数が少なくて済むため、組付工数も簡素になり、コスト的にも安価なものとなる。
【図面の簡単な説明】
【図１】本発明に係る４眼カメラにおける撮影枚数切換装置を構成する遮光部材を示す正面図である。
【図２】本発明による遮光部材と設定用および規制用の部材との係止関係を示すもので、（ａ）は１駒撮影状態の説明図、（ｂ）は２駒撮影状態の説明図、（ｃ）は４駒撮影状態の説明図である。
【図３】本発明による遮光部材と駆動部材および露光開口等との４駒撮影状態における関係を示すもので、（ａ）は第１の係止状態の正面図、（ｂ）は第２の係止状態の正面図、（ｃ）は第３の係止状態の正面図、（ｄ）は第４の係止状態の正面図である。
【図４】同じく２駒撮影状態における関係を示すもので、（ａ）は第１の係止状態の正面図、（ｂ）は第２の係止状態の正面図、（ｃ）は第３の係止状態の正面図、（ｄ）は第４の係止状態の正面図である。
【図５】同じく１駒撮影状態における関係を示すもので、（ａ）は第１の係止状態（１駒目）の正面図、（ｂ）は第２の係止状態（２駒目）の正面図、（ｃ）は第３の係止状態（３駒目）の正面図、（ｄ）は第４の係止状態（４駒目）の正面図である。
【符号の説明】
１  遮光部材
２  軸孔
３  第１の開口
４  第２の開口
５  第３の開口
６  ４駒撮影用立曲部
７  ２駒撮影用突起部
８  １駒撮影用立曲部
９  強制駆動用長孔
１０  遮光部材側ピン
１１  設定部材
１３  規制ピン
１４  駆動部材
１５  連結ピン
１６  強制駆動ピン
１７  駆動部材側ピン
１８  バネ
１９  露光開口
【図１】
0003578784.tif 000002
【図２】
0003578784.tif 000003
【図３】
0003578784.tif 000004
【図４】
0003578784.tif 000005
【図５】
0003578784.tif 000006